(57)【特許請求の範囲】
【請求項１】
開閉扉を構成する二枚のパネルの内部に、同じ形状を有する二つの部材を反転させて構成した組み合わせ部材を設け、当該開閉扉のパネルを挟んで前記組み合わせ部材にドアチェックを取り付け、
前記二つの部材が組み合わされる部分を、前記二枚のパネルの隙間中心位置よりもいずれか一方にずらしたことを特徴とするドアチェックの取付構造。
【請求項２】
開閉扉を構成する二枚のパネルの端部を折り曲げて互いに接合させるとともに、当該接合された二枚のパネルの内部に、略Ｌ字状もしくは略コの字状を有する二つの部材を反転させて構成した筒状の組み合わせ部材を設け、前記開閉扉のパネルを挟んで前記組み合わせ部材にドアチェックを取り付け、
前記二つの部材が組み合わされる部分を、前記二枚のパネルの隙間中心位置よりもいずれか一方にずらしたことを特徴とするドアチェックの取付構造。
【請求項３】
前記二つの部材のそれぞれに、組み合わされる他方の部材の組み合わせ位置を決める位置決め部を設けたことを特徴とする請求項１または２に記載のドアチェックの取付構造。
【請求項４】
前記二つの部材のそれぞれが、対称の形状をしていることを特徴とする請求項１から３いずれかに記載のドアチェックの取付構造。
【請求項５】
前記組み合わせ部材の側面にドアチェックを取り付け、かつ、当該組み合わせ部材の上面もしくは下面に、扉の開閉軸を受けるための軸受を設けたことを特徴とする請求項１から４いずれかに記載のドアチェックの取付構造。
【発明の詳細な説明】
【０００１】
【発明の属する技術分野】
本発明は、ドアチェックの取付構造に関し、より詳しくは、例えばパネルなどに使用される開閉扉のドアチェック取付構造に関するものである。
【０００２】
【従来の技術】
従来のドアチェックが取り付けられるパネルは、薄板鋼板などで構成される二枚のパネルの間にハニカムコアやアルミ枠材を設けて、パネルの厚み方向に強度を持たせるようにしており、更に、これらの内部構造が外から見えないようにパネルの端辺に化粧カバーを取り付けるようにしていた。
【０００３】
【発明が解決しようとする課題】
ところが、このようにパネルの内部にアルミ枠材を設けたり、またパネルの端辺に化粧カバーを設けると、パネル自体が重くなるばかりでなく、部品点数が多くなってパネルの組み立てに時間がかかるという問題を有していた。
【０００４】
この問題を解決するために、パネルの端辺を同一方向に二度折り曲げてパネルと平行な接合部を形成し、これら接合部を互いに接着させてパネルを構成することが考えられる。このように構成すれば、折り曲げられた部分によってパネルの厚み方向に強度を持たせることができ、アルミ枠材などが不要になるというメリットを生じる。また、パネルの端辺を折り曲げて内部構造を見えなくしているので、化粧カバーも不要になり、パネルをより軽量化することもできる。
【０００５】
しかし、このように薄板鋼板の端辺を折り曲げるだけの構成では、その端辺部分に強度を持たせることができても、その端辺から離れた部分では厚み方向の強度が相対的に弱くなってしまう。従って、例えば、パネルをドアパネルとして使用した場合、このパネルにそのままドアチェックを取り付ければ、パネルの板厚だけではその強度に耐えることができず、ドアチェックの取り付け部分が変形してしまうという問題を生じていた。
【０００６】
【課題を解決するための手段】
そこで、本発明は上記問題を解決するために、パネルなどで構成された開閉扉の軽量化を損なわずに、その開閉扉のドアチェック取付部分を補強して扉の厚み方向に強度を持たせるようにする。
【０００７】
【発明の実施の形態】
すなわち、本発明は、開閉扉を構成する二枚のパネルの内部に、同じ形状を有する二つの部材を反転させて構成した組み合わせ部材を設け、当該開閉扉のパネルを挟んで前記組み合わせ部材にドアチェックを取り付け、前記二つの部材が組み合わされる部分を、前記二枚のパネルの隙間中心位置よりもいずれか一方にずらしたことを特徴とするドアチェックの取付構造である。
【０００８】
このような構成のものにおいて、例えば、ドアチェックを取り付ける場合、同じ形状を有する二つの部材を反転させた組み合わせ部材を構成し、これをパネルの内面に取り付けて、この組み合わせ部材にドアチェックを固定するようにしたので、ドアチェックの取り付け部分を補強することができる。更に、同じ形状を有する部材を用いて組み合わせ部材を構成しているので、製造が容易になり量産に適した組み合わせ部材をつくることができる。なお、ここで「同じ形状を有する部材」とは、完全に同一である場合はもちろんのこと、互いの部材を組み合わせる際に不都合とならない程度の差、例えば、他の部材を取り付けるためのネジ穴の数や大きさなどに差がある場合も含めて意味するものである。
【０００９】
また、同一形状を有する二つの部材を反転させて構成した組み合わせ部材を設け、その接合部分を、二枚のパネルの隙間中心位置よりもいずれか一方にずらしているので、ずらされた部分に大きなスペースを確保することができ、例えば、この部分に扉開閉のための軸受などを取り付けることができる。
【００１０】
好適な実施の形態としては、特にパネルの端部を折り曲げて互いのパネルを接合させるとともに、この内部に略Ｌ字状もしくは略コの字状の部材を反転させて構成した筒状の部材を取り付け、これにドアチェックを固定することが望ましい。このようにすれば、アルミ枠材などの内部補強部材を少なくすることができる。また、二枚のパネルの内部に前記組み合わせ部材を取り付けるようにしているので、そのパネルの接合中心位置と当該組み合わせ部材の接合位置とがずれ、お互いに干渉しあうことがなくなる。なお、ここで「略Ｌ字状もしくは略コの字状の部材」とは、L字形状もしくはコの字形状を有する部材の端部に小さな折り曲げ部分を有している場合も含むものである。
【００１１】
更に、組み合わされるそれぞれの部材に、互いの組み合わせ位置を決めるための位置決め部を設けるようにする。このようにすれば、互いの部材を容易に位置決めして組み合わせることができ、更に、組み合わされた部材が互いにずれるのを防止することもできる。
【００１２】
また、組み合わされる各部材を対称の形状にすれば、それらの部材を組み合わせた後、この組み合わされた部材を上下もしくは左右に反転させることによって、開閉扉の四隅のいずれにも取り付けることができる。
【００１３】
また、組み合わせ部材の側面にドアチェックを取り付け、更に、この組み合わせ部材の上面もしくは下面に、扉の開閉軸を受けるための軸受を設ければ、ドアチェックと軸受の取り付け台を兼用することができる。
【００１４】
【実施例】
以下、本発明の一実施例について図面を参照して説明する。
【００１５】
図１は、この実施例における開閉扉１の斜視図であって、開閉扉１の上側面部分を省略した図である。
【００１６】
開閉扉１は、図１に示すように、薄板鋼板で構成される二枚のパネル２と、開閉扉１の吊元側に適宜距離をおいて設けられた上下二つの蝶番３と、開閉扉１の反吊元側にパネル２から突出して設けられた扉開閉用のドアノブ４と、開閉扉１の上方片隅に設けられたドアチェック５とを具備し、更に、二枚のパネル２で構成される隙間内部にハニカムコア６や組み合わせ部材７などを具備してなるものである。
【００１７】
パネル２は、図１のＩ−Ｉ’垂直端面図である図２（ハニカムコア６を省略し、かつ開閉扉１の上側面を記載した図）に示す通り、一枚の薄板鋼板の上端および下端を、端辺に沿って約５ｍｍ程直角に折り曲げて接合部２０を設け、更に、その折り曲げた方向と同一方向に約２０ｍｍ程直角に折り曲げてパネル２のカバー部２１を設けたものである。また、パネル２の水平方向に関しても、図１のＩＩ−ＩＩ’水平端面図である図３に示す通り、開閉扉１の吊元側（ＩＩ側）にもパネル２の上端および下端と同様に接合部２０とカバー部２１を設け、更に、開閉扉１の反吊元側（ＩＩ’側）も、パネル２の端辺を複数回直角に折り曲げて構成した端部を形成し、ドアノブ４を取り付ける際その部分を補強できるようにしている。
【００１８】
喋番３は、図１に示すように開閉扉１の吊元側の側面に適宜の距離をおいて上下二箇所設けられたものであり、喋番３の一片３１を、図３にも示すように接合された二枚のパネル２の内側に設けられた固定具３４に複数のネジで固定し、更に、喋番３の他片３２を図示しない出入口の外枠にもネジで固定して、軸３３を中心に扉を開閉できるようにしたものである。
【００１９】
ドアノブ４は、開閉扉１の反吊元側のパネル２に突出して取り付けられたものであり、扉開閉時にその周辺に変形を生じないように、その反吊元側を補強して設けたものである。すなわち、図３に示すように、パネル２の反吊元側（ＩＩ’側）の端辺を折り曲げて一辺に開口する長方形状の空間２２を形成し、この空間２２およびパネル２の反吊元側の側面をふさぐようにアルミ枠材２３を取り付けるとともに、更に、ドアノブ４近傍にも、このアルミ枠材２３の内面にドアノブ４の取付金具４０を取り付けて、開閉扉１の反吊元側が変形しないようにしたものである。
【００２０】
ドアチェック５は、その本体５１の作用によって開閉扉１を閉める方向に力を付与するとともに、開閉扉１の閉まる直前にその回転速度を遅くさせて衝撃を少なくさせるものである。また、このドアチェック５を取り付ける際は、その本体５１をパネル２の表面に取り付け、本体５１から伸びるアーム５２で連結された図示しない他方の部材を、出入口上部の枠部に固定して取り付けるようにしたものである。
【００２１】
ハニカムコア６は、パネル２の隙間方向を厚み方向とし、この厚み方向に起立した複数枚のペーパーを重ね合わせて構成したものであり、このハニカムコア６を二枚のパネル２の間に挟み込んで、パネル２に厚み方向の強度を持たせるようにしたものである。
【００２２】
組み合わせ部材７は、図１に示すように、ドアチェック５の取り付け部分に対応してパネル２の内部に設けられるものであり、図４および図５に示すように、左右対称の形状を有し、かつ、断面に略Ｌ字状もしくは略コの字状の形状を有する補強部材７１を上下に反転させて組み合わせたものである。
【００２３】
この補強部材７１は薄板鋼板などを折り曲げて構成し、その側面７２にドアチェック５の本体５１を取り付けられるようにしたものである。また、この側面７２の一端を折り曲げて形成した第一水平面７３も、図２に示すようにパネル２の隙間長の半分よりも長くし、更に、側面７２の他方から折り曲げられた第二水平面７５についても、パネル２の隙間長から前記第一水平面７３の長さを差し引いた長さにしている。このように構成することによって、これらの二つの補強部材７１を組み合わせた際に、パネル２の隙間が埋まるので、パネル２の厚み方向に強度を持たせることができる。更に、第一水平面上に大きなスペースを確保できるので、このスペースに開閉扉１の軸受などを取り付けてネジでネジ穴７４に固定することができる。
【００２４】
また、この第二水平面７５の先端部に、更にこの部分を９０度折り曲げた第二位置決め部７７を設け、この第二位置決め部７７の側面７７ａおよび先端７７ｂに対応して、これらを逆Ｌ字状に覆うように第一位置決め部７６を第一水平面７３の先端に設けている。そして、これらの補強部材７１を互いに組み合わせる場合、第二位置決め部７７の側面７７ａおよび先端７７ｂと、これに対応して設けられた逆L字状の第一位置決め部７６とを互いに接し合わせ、これによって互いの補強部材７１を位置決めして厚み方向および上下方向にずれないようにしている。
【００２５】
次にドアチェック５を開閉扉１に取り付ける方法について説明する。ドアチェック５を開閉扉１に取り付ける場合、図４に示すように、互いに同一形状を有する補強部材７１を上下に反転させて第一水平面７３と第二水平面７５とを向かい合わせ、更に、第二位置決め部７７の側面７７ａおよび上端７７ｂとを、これに対応して設けられた逆L字状の第一位置決め部７６に接し合わせて位置決めし、この状態で第二位置決め部７７の側面７７aを挟むように互いの補強部材７１をスポット溶接する。
【００２６】
そして、図５のように固定された組み合わせ部材７をパネル２の内面に載せ、図２のように逆Ｌ字状に突出した第一位置決め部７６をパネル上面のカバー面２１に接するように置くとともに、その組み合わせ部材７の開口している側面もパネル２の側面接合部２０に接するように置く。そして、この状態で組み合わせ部材７の側面７２をパネル２の内面に適宜接着剤などで接着させ、更にこの組み合わせ部材７以外の部材であるハニカムコア６やドアノブ４の取付金具４０などもこのパネル２上に取り付けた後に、これに対向するパネル２を接合部２０で接着させる。
【００２７】
そして、このように構成された開閉扉１にドアチェック５を取り付ける場合、この開閉扉１を取り付ける場所に応じて、ドアチェック５の取り付け位置を確定し、その位置でドアチェック５の本体５１をタッピングビスなどで組み合わせ部材７に取り付けるようにする。
【００２８】
なお、上記本実施例では、組み合わせ部材７に喋番３を取り付ける場合について説明したが、これに限らず、第二の実施例である図６に示すように、開閉扉１の上部および下部に長さの異なる組み合わせ部材７、７aを取り付け、これらの組み合わせ部材７、７ａの第一水平面７３に、ピボットヒンジを構成する軸受７８をネジ穴７４にネジで固定し、これによって扉を開閉させることもできる。このように構成した場合は、ピボットヒンジとドアチェック５の取り付け台を兼用することができる。
【００２９】
以上説明したように、本実施例では、開閉扉１を構成する二枚のパネル２の内部に、同じ形状を有する二つの補強部材７１を反転させて構成した組み合わせ部材７を設け、前記開閉扉１のパネル２を挟んで前記組み合わせ部材７にドアチェック５を取り付けたので、開閉扉１の軽量化を図りつつ、ドアチェック５の取り付け部分を補強することができる。
【００３０】
特にパネル２の端部を折り曲げて互いに接合させるとともに、この内部に、略Ｌ字状もしくは略コの字状の補強部材７１を反転させて構成した筒状の組み合わせ部材７を取り付け、これにドアチェック５を固定することが望ましい。このようにすれば、厚み方向に対する内部補強部材を少なくすることができる。
【００３１】
また、補強部材７１の接合部分を、二枚のパネル２の隙間中心位置よりもいずれか一方にずらしているので、ずらされた部分に大きなスペースを確保することができ、例えば、ピボットヒンジの軸受７８などを取り付けることができる。また、二枚のパネル２の内部にこの組み合わせ部材７を取り付ける場合、そのパネル２の隙間中心位置よりもずらして構成しているので、パネル２の接合部２０と当該組み合わせ部材７の接合位置との干渉を防止することができる。
【００３２】
また、補強部材７１に、互いの組み合わせ位置を決めるための第一位置決め部７６と第二位置決め部７７とを設けたので、組み合わせの際に位置決めが容易になり、また、組み合わされた後に補強部材７１が厚み方向や上下方向にずれるのを防止することができる。
【００３３】
更に、補強部材７１を対称の形状にしたので、組み合わせ部材７を上下左右に反転させれば、開閉扉１の四隅いずれの部分にも取り付けることができる。
【００３４】
特に、組み合わせ部材７にドアチェック５だけでなく、扉の開閉軸を受けるための軸受７８も取り付ければ、ピボットヒンジとドアチェック５の取り付け台を兼用することができる。
【００３５】
なお、本発明は上述した構成のものに限られず、例えば、上記実施例では二つの補強部材７１を用いた組み合わせ部材７について説明したが、これに限らず、同一形状を有する二以上の補強部材を用いて組み合わせ部材を構成してもよい。また、上記実施例では、補強部材７１を上下に反転させて組み合わせ部材７を構成したが、これに限らず、補強部材を左右に反転させて上下方向に開口する組み合わせ部材を構成してもよい。
【００３６】
更に、本実施例では、図１に示すように開閉扉１の右側を中心に開閉する構造について説明したが、これに限らず開閉扉の左側を中心に開閉する構造についても適用することができる。この場合、補強部材を左右対称の形状にしておけば、組み合わせ部材も左右対称の形状になり、この組み合わせ部材を上下左右に反転させることで開閉扉のいずれの端部にも取り付けることができる。
【００３７】
【発明の効果】
本発明は、以上説明したような形態で実施され、以下に記載されるような効果を奏する。
【００３８】
すなわち、本発明のドアチェックの取付構造は、開閉扉を構成する二枚のパネルの内部に、同じ形状を有する二つの部材を反転させて構成した組み合わせ部材を設け、前記開閉扉のパネルを挟んで前記組み合わせ部材にドアチェックを取り付けるようにしているので、ドアチェックの取り付け部分を補強することができる。
【００３９】
特にパネルの端部を折り曲げて互いに接合させるとともに、この内部に略Ｌ字状もしくは略コの字状の部材を反転させて構成した筒状の部材を取り付け、これにドアチェックを固定することが望ましい。このようにすれば、アルミ枠材などの内部補強部材を少なくすることができる。
【００４０】
また、同じ形状を有する部材の接合部分を、二枚のパネルの隙間中心位置よりもいずれか一方にずらしているので、ずらされた部分に大きなスペースを確保することができ、例えばピボットヒンジの軸受などを取り付けることができる。また、特に二枚のパネルの内部にこの組み合わせ部材を取り付ける場合、そのパネルの隙間中心位置よりもずらして構成しているので、パネルの接合位置と当該組み合わせ部材の接合位置との干渉を防止することができる。
【００４１】
また、組み合わされるそれぞれの部材に、互いの組み合わせ位置を決めるための位置決め部を設ければ、互いの部材を容易に組み合わせることができ、更に、組み合わされた部材が互いにずれるのを防止することができる。
【００４２】
更に、組み合わされる各部材を対称の形状にしたので、組み合わされた部材を上下左右に反転させれば、開閉扉の四隅いずれの部分にも取り付けることができる。
【００４３】
また、特に組み合わせ部材にドアチェックだけでなく、扉の開閉軸を受けるための軸受も取り付ければ、ドアチェックと軸受の取り付け台を兼用することができる。
【図面の簡単な説明】
【図１】本発明の一実施例を示す開閉扉の斜視図。
【図２】同実施例の垂直端面図。
【図３】同実施例の水平端面図。
【図４】同実施例の組み合わせ部材の分解斜視図。
【図５】同実施例の組み合わせ部材の斜視図。
【図６】本発明の第二の実施例を示す開閉扉の斜視図。
【符号の説明】
１・・・開閉扉
２・・・パネル
２０・・・接合部
２１・・・カバー部
５・・・ドアチェック
５１・・・本体
６・・・ハニカムコア
７・・・組み合わせ部材
７１・・・補強部材
７２・・・側面
７３・・・第一水平面
７５・・・第二水平面
７６・・・第一位置決め部
７７・・・第二位置決め部
７７ａ・・・側面
７７ｂ・・・先端
７８・・・軸受
【図１】
0003749965.tif 000002
【図２】
0003749965.tif 000003
【図３】
0003749965.tif 000004
【図４】
0003749965.tif 000005
【図５】
0003749965.tif 000006
【図６】
0003749965.tif 000007